(57)【要約】【課題】画像を書き換えることが可能な回数が変動することが少ない場合にのみ、画面に回数を表示することが可能な表示装置及び制御プログラムを提供する。【解決手段】電池の電圧が検出され（Ｓ１１）、検出された電池の電圧が３．５Ｖ以下でない場合には（Ｓ１２：ＮＯ）、画面の書き換え指示が入力されても、書き換え可能回数は表示パネルに表示されない。一方、電池の電圧が３．５Ｖ以下の場合には（Ｓ１２：ＹＥＳ）、電池の温度が検出される（Ｓ１７）。そして、電池の電圧と電池の温度とから書き換え可能回数が決定され（Ｓ１９）、表示パネルに表示される（Ｓ２１）。そして、画面の書き換え指示が入力された場合には（Ｓ２３：ＹＥＳ）、書き換え可能回数が更新される（Ｓ３３又はＳ３６）。【選択図】図７
2011048473.tif 000002
【特許請求の範囲】
【請求項１】
表示中の画像を書き換える場合に電力を必要とし、電力の供給が断たれても前記画像を保持することが可能な不揮発性の表示手段を備え、電池を電源として動作する表示装置であって、
前記表示手段を制御し、前記表示手段に前記画像を表示させる表示制御手段と、
前記電池の残量を検出する残量検出手段と、
前記残量検出手段によって検出された前記電池の残量に基づいて、前記画像を書き換えることが可能な回数である書き換え可能回数を決定する書き換え回数決定手段と
を備え、
前記残量検出手段によって検出された前記電池の残量が所定残量以下の場合に、
前記書き換え回数決定手段は、前記書き換え可能回数の決定を開始して、
前記表示制御手段は、前記書き換え可能回数を前記表示手段に表示させ、
前記残量検出手段によって検出された前記電池の残量が前記所定残量より大きい場合に、
前記書き換え回数決定手段は、前記書き換え可能回数の決定を開始しない
ことを特徴とする表示装置。
【請求項２】
前記画像の書き換え指示が入力される入力手段と、
前記入力手段を介して前記画像の書き換え指示が入力された後、時間の閾値である第一閾値以内に再び前記画像の書き換え指示が入力されたか否かを判断する第一判断手段と、
前記第一判断手段によって、前記入力手段を介して前記画像の書き換え指示が入力された後、前記第一閾値以内に再び前記画像の書き換え指示が入力されたと判断された場合に、前記書き換え回数決定手段によって決定された前記書き換え回数を１減算する第一算出手段と
をさらに備え、
前記表示制御手段は、
前記第一算出手段によって前記書き換え回数が１減算された場合に、前記減算された書き換え回数を前記表示手段に表示させることを特徴とする請求項１に記載の表示装置。
【請求項３】
前記電池の温度に応じて特性が変化する温度検出部と、
前記温度検出部の前記特性の変化を検出することで前記電池の温度を検出する温度検出手段とをさらに備え、
前記書き換え回数決定手段は、
前記残量検出手段によって検出された前記電池の残量と前記温度検出手段によって検出された前記電池の温度とに基づいて前記書き換え可能回数を決定し、
前記残量検出手段によって検出された前記電池の残量が前記所定残量以下の場合に、
前記温度検出手段は、前記電池の温度を検出し、
前記書き換え可能決定手段は、前記書き換え可能回数の決定を開始し、
前記表示制御手段は、前記書き換え可能回数を前記表示手段に表示させ、
前記残量検出手段によって検出された前記電池の残量が前記所定残量より大きい場合に、
前記温度検出手段は、前記電池の温度を検出せず、
前記書き換え回数決定手段は、前記書き換え可能回数の決定を開始しない
ことを特徴とする請求項１又は２に記載の表示装置。
【請求項４】
前記残量検出手段によって検出された前記電池の残量に基づいて、電池の残量を表す情報である電池残量情報を決定する電池残量決定手段と
をさらに備え、
前記表示制御手段は、
前記表示手段に、前記電池残量決定手段によって決定された前記電池残量情報を示す表示である電池残量表示をさらに表示させ、前記書き換え可能回数を前記電池残量表示の隣に表示させることを特徴とする請求項１から３のいずれかに記載の表示装置。
【請求項５】
前記残量検出手段によって検出された前記電池の残量が前記所定残量以下の場合に、
前記表示制御手段は、
電池の外形の形状を表す電池外形部を前記表示手段にさらに表示させ、前記書き換え可能回数を前記電池外形部の内側に表示させることを特徴とする請求項１から４のいずれかに記載の表示装置。
【請求項６】
前記電池残量表示は、
電池の外形の形状を表す電池外形部と、
前記電池残量情報に応じて、前記電池外形部の内側に表示された塊部の数が変化するメータ部と
を備えたことを特徴とする請求項４に記載の表示装置。
【請求項７】
前記残量検出手段によって検出された前記電池の残量が前記所定残量以下の場合に、
前記表示制御手段は、
前記メータ部に代えて、前記メータ部と同一の位置に前記書き換え可能回数を前記表示手段に表示させることを特徴とする請求項６に記載の表示装置。
【請求項８】
表示中の画像を書き換える場合に電力を必要とし、電力の供給が断たれても前記画像を保持することが可能な不揮発性の表示手段を備え、電池を電源として動作する表示装置において実行される制御プログラムであって、
コンピュータに、
前記表示手段を制御し、前記表示手段に前記画像を表示させる表示制御ステップと、
前記電池の残量を検出する残量検出ステップと、
前記残量検出ステップによって検出された前記電池の残量に基づいて、前記画像を書き換えることが可能な回数である書き換え可能回数を決定する書き換え回数決定ステップと
を実行させ、
前記残量検出ステップによって検出された前記電池の残量が所定残量以下の場合に、
前記書き換え回数決定ステップは、前記書き換え可能回数の決定を開始して、
前記表示制御ステップは、前記書き換え可能回数を前記表示手段に表示させ、
前記残量検出ステップによって検出された前記電池の残量が前記所定残量より大きい場合に、
前記書き換え回数決定ステップは、前記書き換え可能回数の決定を開始しない
ことを特徴とする制御プログラム。
【発明の詳細な説明】
【技術分野】
【０００１】
本発明は、表示装置及び制御プログラムに関する。詳細には、画像を書き換えることが可能な回数を表示する表示装置及び制御プログラムに関する。
【背景技術】
【０００２】
従来、電池の残量を検出し、画像を書き換えることが可能な回数を表示する表示装置が知られている。例えば、特許文献１に記載の表示装置では、電池の電圧を検出し、その検出した電圧から使用可能残量を特定している。そして、特定された使用可能残量に基づいて、画像を書き換えることが可能な回数を算出して画面に表示している。
【先行技術文献】
【特許文献】
【０００３】
【特許文献１】特開２００５−１６４６７２号公報
【発明の概要】
【発明が解決しようとする課題】
【０００４】
一般的に、電池の使用可能残量が十分に大きい場合、電池の使用可能残量が小さい場合に比べ、画像が書き換えられた際に減少する電池の電圧の減少量が非常に小さい。特許文献１に記載の表示装置では、電池の電圧を検出することによって電池の使用可能残量を特定している。電池の使用可能残量が十分に大きい場合、画像が書き換えられた際に減少する電池の電圧の減少量が非常に小さいので、画像を書き換えることが可能な回数を精度良く特定することが難しい。このため、画像に表示される回数が変動することが多く、ユーザが混乱する場合があるという問題点があった。
【０００５】
本発明は、上記問題点を解決するためになされたものであり、画像を書き換えることが可能な回数が変動することが少ない場合にのみ、画面に回数を表示することが可能な表示装置及び制御プログラムを提供することを目的とする。
【課題を解決するための手段】
【０００６】
上記目的を達成するために、請求項１に記載の表示装置は、表示中の画像を書き換える場合に電力を必要とし、電力の供給が断たれても前記画像を保持することが可能な不揮発性の表示手段を備え、電池を電源として動作する表示装置であって、前記表示手段を制御し、前記表示手段に前記画像を表示させる表示制御手段と、前記電池の残量を検出する残量検出手段と、前記残量検出手段によって検出された前記電池の残量に基づいて、前記画像を書き換えることが可能な回数である書き換え可能回数を決定する書き換え回数決定手段とを備え、前記残量検出手段によって検出された前記電池の残量が所定残量以下の場合に、前記書き換え回数決定手段は、前記書き換え可能回数の決定を開始して、前記表示制御手段は、前記書き換え可能回数を前記表示手段に表示させ、前記残量検出手段によって検出された前記電池の残量が前記所定残量より大きい場合に、前記書き換え回数決定手段は、前記書き換え可能回数の決定を開始しないことを特徴とする。
【０００７】
また、請求項２に記載の表示装置は、請求項１に記載の発明の構成に加えて、前記画像の書き換え指示が入力される入力手段と、前記入力手段を介して前記画像の書き換え指示が入力された後、時間の閾値である第一閾値以内に再び前記画像の書き換え指示が入力されたか否かを判断する第一判断手段と、前記第一判断手段によって、前記入力手段を介して前記画像の書き換え指示が入力された後、前記第一閾値以内に再び前記画像の書き換え指示が入力されたと判断された場合に、前記書き換え回数決定手段によって決定された前記書き換え回数を１減算する第一算出手段とをさらに備え、前記表示制御手段は、前記第一算出手段によって前記書き換え回数が１減算された場合に、前記減算された書き換え回数を前記表示手段に表示させることを特徴とする。
【０００８】
また、請求項３に記載の表示装置は、請求項１又は２に記載の発明の構成に加えて、前記電池の温度に応じて特性が変化する温度検出部と、前記温度検出部の前記特性の変化を検出することで前記電池の温度を検出する温度検出手段とをさらに備え、前記書き換え回数決定手段は、前記残量検出手段によって検出された前記電池の残量と前記温度検出手段によって検出された前記電池の温度とに基づいて前記書き換え可能回数を決定し、前記残量検出手段によって検出された前記電池の残量が前記所定残量以下の場合に、前記温度検出手段は、前記電池の温度を検出し、前記書き換え可能決定手段は、前記書き換え可能回数の決定を開始し、前記表示制御手段は、前記書き換え可能回数を前記表示手段に表示させ、前記残量検出手段によって検出された前記電池の残量が前記所定残量より大きい場合に、前記温度検出手段は、前記電池の温度を検出せず、前記書き換え回数決定手段は、前記書き換え可能回数の決定を開始しないことを特徴とする。
【０００９】
また、請求項４に記載の表示装置は、請求項１から３のいずれかに記載の構成に加えて、前記残量検出手段によって検出された前記電池の残量に基づいて、電池の残量を表す情報である電池残量情報を決定する電池残量決定手段とをさらに備え、
前記表示制御手段は、前記表示手段に、前記電池残量決定手段によって決定された前記電池残量情報を示す表示である電池残量表示をさらに表示させ、前記書き換え可能回数を前記電池残量表示の隣に表示させることを特徴とする。
【００１０】
また、請求項５に記載の表示装置は、請求項１から４のいずれかに記載の発明の構成に加えて、前記残量検出手段によって検出された前記電池の残量が前記所定残量以下の場合に、前記表示制御手段は、電池の外形の形状を表す電池外形部を前記表示手段にさらに表示させ、前記書き換え可能回数を前記電池外形部の内側に表示させることを特徴とする。
【００１１】
また、請求項６に記載の表示装置は、請求項４に記載の発明の構成に加えて、前記電池残量表示は、電池の外形の形状を表す電池外形部と、前記電池残量情報に応じて、前記電池外形部の内側に表示された塊部の数が変化するメータ部とを備えたことを特徴とする。
【００１２】
また、請求項７に記載の表示装置は、請求項６に記載の発明の構成に加えて、前記残量検出手段によって検出された前記電池の残量が前記所定残量以下の場合に、前記表示制御手段は、前記メータ部に代えて、前記メータ部と同一の位置に前記書き換え可能回数を前記表示手段に表示させることを特徴とする。
【００１３】
また、請求項８に記載の制御プログラムは、表示中の画像を書き換える場合に電力を必要とし、電力の供給が断たれても前記画像を保持することが可能な不揮発性の表示手段を備え、電池を電源として動作する表示装置において実行される制御プログラムであって、コンピュータに、前記表示手段を制御し、前記表示手段に前記画像を表示させる表示制御ステップと、前記電池の残量を検出する残量検出ステップと、前記残量検出ステップによって検出された前記電池の残量に基づいて、前記画像を書き換えることが可能な回数である書き換え可能回数を決定する書き換え回数決定ステップとを実行させ、前記残量検出ステップによって検出された前記電池の残量が所定残量以下の場合に、前記書き換え回数決定ステップは、前記書き換え可能回数の決定を開始して、前記表示制御ステップは、前記書き換え可能回数を前記表示手段に表示させ、前記残量検出ステップによって検出された前記電池の残量が前記所定残量より大きい場合に、前記書き換え回数決定ステップは、前記書き換え可能回数の決定を開始しないことを特徴とする。
【発明の効果】
【００１４】
請求項１に係る発明の表示装置によれば、電池の残量が所定残量より大きい場合には、書き換え可能決定手段は、書き換え可能回数の決定を開始しない。このため、書き換え可能回数が表示手段に表示されない。電池の残量が所定残量以下の場合には、書き換え可能回数が表示される。このため、画像を書き換えることが可能な回数が変動することが少ない場合にのみ、表示手段に書き換え可能回数を表示することができる。
【００１５】
請求項２に係る発明の表示装置によれば、第一閾値以内に画像の書き換え指示が入力される毎に、書き換え回数が１減算されて表示される。このため、請求項１に記載の発明の効果に加え、第一閾値以内に書き換え指示が入力された場合には、電池の残量を検出する必要がない。
【００１６】
請求項３に係る発明の表示装置によれば、電池の温度も考慮して書き換え可能回数を決定することができるので、請求項１又は２に記載の発明の効果に加え、さらに高精度に書き換え可能回数を決定することができる。
【００１７】
請求項４に係る発明の表示装置によれば、電池の残量が少なくなった場合に書き換え可能回数が表示されるのに加えて、電池の残量に関係なく電池残量表示が表示されているので、請求項１から３のいずれかに係る発明の効果に加え、電池の残量が十分に残っている場合でも、ユーザは電池の残量を確認することができる。
【００１８】
請求項５に係る発明の表示装置によれば、電池の残量が所定残量以下の場合に、電池外形部の内側に書き換え可能回数を表示できる。電池外形部が表示されているため、ユーザは電池の残量が少なく、書き換え可能回数が少ないことを容易に判断することができる。このため、請求項１から４に係る発明の効果に加え、ユーザは、容易に電池残量が少ないことと書き換え可能回数とを確認することができる。
【００１９】
請求項６に係る発明の表示装置によれば、電池の外形部の内側にメータ部が表示される。電池外形部が表示されているため、ユーザは容易に電池の残量を表した表示であることを認識することができる。このため、請求項４に係る発明の効果に加え、ユーザは容易に電池の残量を確認することができる。
【００２０】
請求項７に係る発明の表示装置によれば、電池の残量が所定残量より大きい場合には、電池外形部とメータ部とを備えた電池残量表示が表示され、電池の残量が所定残量以下の場合には、メータ部に代えて書き換え可能回数が表示される。よって、請求項６に係る発明の効果に加え、電池残量表示と書き換え可能回数とを別の位置に表示させる場合に比べて、表示領域を削減することができる。
【００２１】
また、請求項８に記載の制御プログラムによれば、電池の残量が所定残量より大きい場合には、書き換え可能決定ステップは、書き換え可能回数の決定を開始しない。このため、書き換え可能回数が表示手段に表示されない。電池の残量が所定残量以下の場合には、書き換え可能回数が表示される。このため、画像を書き換えることが可能な回数が変動することが少ない場合にのみ、表示手段に書き換え可能回数を表示することができる。
【図面の簡単な説明】
【００２２】
【図１】表示装置１の概要を示す正面図である。
【図２】表示装置１の電気的構成を示すブロック図である。
【図３】残存容量と電圧との関係を示すグラフである。
【図４】書き換え可能回数テーブル４１を示す模式図である。
【図５】電池残量テーブル５１を示す模式図である。
【図６】表示パネル２２に表示される電池残量表示６１を示す図である。
【図７】メイン処理を示すフローチャートである。
【図８】表示パネル２２に第一残量表示６１６が表示された状態の一例を示す表示装置１の正面図である。
【図９】表示パネル２２に第三残量表示６１８と書き換え可能回数とが表示された状態の一例を示す表示装置１の正面図である。
【図１０】表示パネル２２に表示される電池外形部６１１と、電池外形部６１１の内側に表示される書き換え可能回数とを示す図である。
【発明を実施するための形態】
【００２３】
以下、本発明に係る表示装置及び制御プログラムを具現化した表示装置１について、図面を参照して説明する。なおこれらの図面は、本発明が採用しうる技術的特徴を説明するために用いられるものであり、記載されている表示装置の構成、各種処理のフローチャートなどは、それのみに限定する趣旨ではなく、単なる説明例である。
【００２４】
図１を参照し、表示装置１の概要について説明する。表示装置１は、正面視略長方形状を有している。表示装置１は、略長方形状の表示パネル２２を正面側に備えている。表示パネル２２は、不揮発性の表示素子から構成されている。不揮発性の表示素子は、表示中の像を書き換える場合にのみ電力を必要とし、電力の供給が断たれても表示中の像を保持することが可能であるという特性を有している。表示パネル２２としては、従来周知の様々な不揮発性の表示素子が使用可能である。例えば、マイクロカプセル方式や電気泳動式等の不揮発性の表示素子が使用可能である。
【００２５】
表示装置１は、表示パネル２２の右側に、上下方向に一列に並んだ複数の選択ボタン１５を備えている。選択ボタン１５は、表示パネル２２のうち選択ボタン１５の左側部分に表示される選択メニューのうちいずれかを選択する場合に使用される。
【００２６】
表示装置１は、選択ボタン１５の右側に、電源スイッチ３３と設定ボタン１３と操作ボタン１４とを備えている。上から順に、電源スイッチ３３、設定ボタン１３、操作ボタン１４の順で並んでいる。電源スイッチ３３は、表示装置１の電源のオン・オフを切り替える場合に、ユーザによって押下される。設定ボタン１３と操作ボタン１４とは、表示パネル２２上に表示される表示データに対する設定や操作等を行う場合に、ユーザによって押下される。
【００２７】
表示装置１は、内部に電池３１（図２参照）を備えている。表示装置１は、電池３１を電源として動作する。電池３１としては、例えば、従来周知のリチウムイオン電池やニッケル水素電池等が使用可能である。なお、本実施形態では、電池３１には、電池３１の温度ｔを検出するためのサーミスタ３７（図２参照）が内蔵されているとする。このサーミスタ３７の位置は例示であり、必ずしも電池３１に内蔵する必要はなく、例えば、電池３１の外側に配置してもよい。また、サーミスタ３７を使用して温度を検出することは例示であり、その他の温度の検出方法を用いても良い。
【００２８】
次に、図２を参照し、表示装置１の電気的構成について説明する。表示装置１は、ＣＰＵ２１とＲＯＭ２４とＲＡＭ２５とを備えている。ＣＰＵ２１は、表示パネル２２の表示制御等を司る。ＲＯＭ２４は、プログラム記憶領域２４１と電池残量テーブル記憶領域２４２と書き換え可能回数テーブル記憶領域２４３とその他の情報記憶領域２４４とを少なくとも備えている。プログラム記憶領域２４１には、ＣＰＵ２１が各種の処理等を実行するために必要なプログラムデータが記憶されている。電池残量テーブル記憶領域２４２には、後述する電池残量テーブル５１（図５参照）が記憶されている。書き換え可能回数記憶領域２５２には、後述する書き換え可能回数テーブル４１（図４参照）が記憶されている。ＣＰＵ２１はＲＯＭ２４と電気的に接続されている。ＣＰＵ２１は、ＲＯＭ２４の記憶領域にアクセスできる。
【００２９】
また、ＲＡＭ２５は、電池残量表示記憶領域２５１と書き換え可能回数記憶領域２５２とカウンタ記憶領域２５３とその他の情報記憶領域２５４とを少なくとも備えている。電池残量表示記憶領域２５１には、後述する電池残量情報が記憶される。また、書き換え可能回数記憶領域２５２には、後述する書き換え可能回数が記憶される。また、カウンタ記憶領域２５３には、後述するカウンタ値が記憶される。ＣＰＵ２１はＲＡＭ２５と電気的に接続されている。ＣＰＵ２１は、ＲＡＭ２５の記憶領域にアクセスできる。
【００３０】
表示装置１は、メモリカードスロット２６を備えている。メモリカードスロット２６には、メモリカード３５が挿入される。メモリカード３５は、表示データ記憶領域３５１を少なくとも備えている。表示データ記憶領域３５１には、表示パネル２２に表示させる表示データが記憶される。ＣＰＵ２１はメモリカードスロット２６を介してメモリカード３５と電気的に接続する。ＣＰＵ２１は、メモリカード３５の記憶領域にアクセスできる。
【００３１】
表示装置１は、表示パネル２２と表示制御部２３とを備えている。表示制御部２３は、表示パネル２２の駆動制御を行う。ＣＰＵ２１は表示制御部２３と電気的に接続する。表示制御部２３は表示パネル２２と接続する。ＣＰＵ２１は、表示制御部２３を介して表示パネル２２に所望の画像を表示させることができる。
【００３２】
表示装置１は、電源スイッチ３３を備えている。ＣＰＵ２１は電源スイッチ３３と電気的に接続する。ＣＰＵ２１は、ユーザによって電源スイッチ３３が押下されたことを検出できる。表示装置１は、選択ボタン１５と設定ボタン１３と操作ボタン１４（以下、これらを総称して「入力部３４」という。）とを備えている。ＣＰＵ２１は入力部３４と電気的に接続する。ＣＰＵ２１は、ユーザによって入力部３４が操作されたことを検出できる。
【００３３】
表示装置１は、電池３１と電源制御部３０とを備えている。また、電池３１には、サーミスタ３７が内蔵されている。ＣＰＵ２１は、電源制御部３０と接続される。電池３１は電源制御部３０と接続される。これにより、電池３１から電源制御部３０を介してＣＰＵ２１に電力が供給される。なお、図示しないが、表示装置１には、ＵＳＢ（Ｕｎｉｖｅｒｓａｌ  Ｓｅｒｉａｌ  Ｂｕｓ）ケーブルが接続されるＵＳＢコネクタとＡＣアダプタが接続されるＡＣコネクタが設けられている。また、電池３１の充電を行う充電回路が設けられている。充電回路は、ＵＳＢコネクタ又はＡＣコネクタから供給される電流により、電池３１を充電することができる。
【００３４】
表示装置１は、電圧検出回路３２を備えている。電圧検出回路３２は、電池３１の電圧Ｖ１を検出する。電圧検出回路３２では、電池３１の電圧Ｖ１が抵抗等によって分圧される。分圧された電圧がＡ／Ｄコンバータによってデジタル信号に変換される。ＣＰＵ２１は、Ａ／Ｄコンバータによって変換されたデジタル信号を検出することによって、電池３１の電圧Ｖ１を検出する。電圧検出回路３２は、ＣＰＵ２１と電気的に接続する。電池３１は、電圧検出回路３２と接続する。
【００３５】
表示装置１は、温度検出回路３６を備えている。電池３１の温度ｔの変化によって、サーミスタ３７の抵抗値が変化する。温度検出回路３６では、サーミスタ３７の抵抗値の変化を電圧の変化に変換し、この電圧をＡ／Ｄコンバータによってデジタル信号に変換する。ＣＰＵ２１は、Ａ／Ｄコンバータによって変換されたデジタル信号を検出することによって、電池３１の温度ｔを検出する。温度検出回路３６は、ＣＰＵ２１と電気的に接続する。サーミスタ３７は、温度検出回路３６と接続する。
【００３６】
表示装置１は、カウンタ３８を備えている。ＣＰＵ２１はカウンタ３８と接続される。カウンタ３８は時間を計測し、計測された時間は、ＣＰＵ２１によって認識される。
【００３７】
次に、図３を参照して、電池３１の残存容量と電圧との関係について説明する。電池３１に残存する容量（以下「残存容量」という。）と、電池３１の電圧Ｖ１とは、図３の曲線３１１及び曲線３１２の関係を示す。曲線３１１及び曲線３１２に示すように、電池３１の電圧から、残存容量を求めることができ、また、残存容量から電圧を求めることができる。このため、電池３１のいわゆる「残量」とは、例えば、電池３１の電圧や残存容量等で表すことができる。曲線３１１は、電池３１の温度ｔが２０℃の場合を示し、曲線３１２は、電池３１の温度ｔが４０℃の場合を示している。図３に示すように、電池３１の温度ｔによって、電池３１の残存容量と電池３１の電圧Ｖ１との関係は変化する。曲線３１１及び曲線３１２に示すように、電池３１の残存容量が十分に残っている場合（例えば、電池３１の電圧Ｖ１が３．５Ｖより大きい場合）では、電池３１の残存容量が少ない場合（例えば、電池３１の電圧Ｖ１が３．５Ｖ以下の場合）に比べ、電池３１の容量が消費された場合における電池３１の電圧Ｖ１の変化量が小さい。このため、表示パネル２２に表示される画像を書き換えることが可能な残りの回数である書き換え可能回数を電池３１の電圧Ｖ１に基づいて決定する際、電池３１の残存容量が十分に残っている場合では、電池３１の残存容量が少ない場合に比べ、書き換え可能回数を精度良く決定することが困難である。このため、電池３１の残存容量が十分に残っている場合（例えば、電池３１の電圧Ｖ１が３．５Ｖより大きい場合）では、表示パネル２２に表示される書き換え可能回数が変動することが多い。本実施形態では、書き換え可能回数が変動することが多い、電池３１の残存容量が十分に残っている場合には、書き換え可能回数を表示パネル２２に表示しない。そして、書き換え可能回数が変動することが少ない、電池３１の残存容量が少ない場合には、書き換え可能回数を表示パネル２２に表示する。
【００３８】
次に、図４を参照して、書き換え可能回数テーブル４１について説明する。書き換え可能回数テーブル４１は、ＲＯＭ２４の書き換え可能回数テーブル記憶領域２４３（図２参照）に記憶されている。書き換え可能回数テーブル４１には、電池３１の温度ｔと、電池３１の電圧Ｖ１と、書き換え可能回数とが対応付けられて記憶されている。電池３１の温度ｔは、ｔ＞３０℃と、ｔ≦３０℃とに区切られている。また、電池３１の電圧Ｖ１は、Ｖ１≦３．０Ｖと、３．０Ｖ＜Ｖ１≦３．１Ｖと、３．１Ｖ＜Ｖ１≦３．２Ｖと、３．２Ｖ＜Ｖ１≦３．３Ｖと、３．３Ｖ＜Ｖ１≦３．４Ｖと、３．４Ｖ＜Ｖ１≦３．５Ｖとに区切られている。そして、区切られた電池３１の電圧Ｖ１が、ｔ＞３０℃とｔ≦３０℃とに区切られた温度ｔに対して対応付けられている。そして、書き換え可能回数が、電池３１の温度ｔと電池３１の電圧Ｖ１とに対応付けられている。ｔ＞３０℃の場合には、以下のように電池３１の電圧Ｖ１と書き換え可能回数が対応付けられている。すなわち、Ｖ１≦３．０Ｖと書き換え可能回数「０回」が対応付けられている。また、３．０Ｖ＜Ｖ１≦３．１Ｖと書き換え可能回数「１０回」が対応付けられている。また、３．１Ｖ＜Ｖ１≦３．２Ｖと書き換え可能回数「２０回」が対応付けられている。また、３．２Ｖ＜Ｖ１≦３．３Ｖと書き換え可能回数「３０回」が対応付けられている。また、３．３Ｖ＜Ｖ１≦３．４Ｖと書き換え可能回数「４０回」が対応付けられている。また、３．４Ｖ＜Ｖ１≦３．５Ｖと書き換え可能回数「５０回」が対応付けられている。ｔ≦３０℃の場合には、以下のように電池３１のＶ１と書き換え可能回数が対応付けられている。すなわち、Ｖ１≦３．０Ｖと書き換え可能回数「０回」が対応付けられている。また、３．０Ｖ＜Ｖ１≦３．１Ｖと書き換え可能回数「４０回」が対応付けられている。また、３．１Ｖ＜Ｖ１≦３．２Ｖと書き換え可能回数「７５回」が対応付けられている。また、３．２Ｖ＜Ｖ１≦３．３Ｖと書き換え可能回数「１１０回」が対応付けられている。また、３．３Ｖ＜Ｖ１≦３．４Ｖと書き換え可能回数「１４５回」が対応付けられている。また、３．４Ｖ＜Ｖ１≦３．５Ｖと書き換え可能回数「１８０回」が対応付けられている。
【００３９】
図４の書き換え可能回数テーブル４１において、電池３１の電圧Ｖ１が３．５Ｖ以下である場合にのみ、書き換え可能回数が対応付けられている。これは、前述した電池３１の残存容量が少ない場合にのみ、書き換え可能回数を対応付けているためである。残存容量が少ない場合を「３．５Ｖ以下」としたのは例示であり、任意に変更することが可能である。
【００４０】
なお、書き換え可能回数テーブル４１における電池３１の温度ｔがｔ＞３０℃における各電圧に対する書き換え可能回数は、図３に示す曲線３１２（電池３１の温度ｔが４０℃の場合の曲線）を用いて書き換え可能回数を算出した後、実験等を行って確認して、書き換え可能回数を決定している。また、電池３１の温度ｔがｔ≦３０℃における各電圧に対する書き換え可能回数は、図３に示す曲線３１１（電池３１の温度ｔが２０℃の場合の曲線）を用いて書き換え可能回数を算出した後、実験等を行って確認して、書き換え可能回数を決定している。
【００４１】
図４の書き換え可能回数テーブル４１における数値は例示であり、種々の変更が可能である。例えば、電池３１の温度ｔは、ｔ＞３０℃の場合とｔ≦３０℃の場合とのみしか記載していないが、電池３１の温度ｔの範囲の区切りをもっと細かく設定してもよい。例えば、１℃毎の間隔で電池３１の電圧Ｖ１と書き換え可能回数との関係を対応付けても良い。また、電池３１の電圧Ｖ１の間隔は０．１Ｖ毎に区切っているが、これに限定されない。例えば、書き換え可能回数が１回ずつ減少するように、電池３１の電圧Ｖ１の間隔をもっと細かく区切ってもよい。このようにすれば、後述する図７のＳ１９の処理とＳ３１の処理とにおいて、より精度良く書き換え可能回数を決定することができる。
【００４２】
次に、図５を参照して、電池残量テーブル５１について説明する。電池残量テーブル５１は、ＲＯＭ２４の電池残量テーブル記憶領域２４２（図２参照）に記憶されている。電池残量テーブル５１には、電池３１の電圧Ｖ１と、電池３１の残量を表す情報である電池残量情報とが対応付けられて記憶されている。電池残量情報に基づいて、電池残量表示６１が表示パネル２２に表示される。電池残量表示６１とは、電池３１の残存容量をユーザに知らせるための表示である。
【００４３】
ここで、図６を用いて、電池残量表示６１について説明する。電池残量表示６１は、表示パネル２２に表示される。図６に示すように、電池残量表示６１は、電池の外形の形状を模式的に表した電池外形部６１１と、前記電池外形部６１１の内側に表示された塊部６１４の数が変化するメータ部６１５とを備えている。電池外形部６１１は、横長長方形状の第一構成部６１２と、長方形状且つ第一構成部６１２より小さい第二構成部６１３とから構成されている。第二構成部６１３は、第一構成部６１２の右側（図６の紙面の右側）に第一構成部６１２と接続されて表示されている。電池外形部６１１の内側、より詳細には、第一構成部６１２の内側には、塊部６１４が３個表示されている。塊部６１４は、縦長長方形状をしており、塊部６１４を左右方向に３個並べることによって、メータ部６１５が形成される。メータ部６１５は、図５に示す電池残量テーブル５１を使用して電池３１の電圧Ｖ１から決定された電池残量情報に応じて、塊部６１４の数が０個から３個の間で変動する。これによって、電池３１の残存容量をユーザに伝えることができる。
【００４４】
塊部６１４が３個表示されている場合の電池残量表示６１を第一残量表示６１６という。また、塊部６１４が２個表示されている場合の電池残量表示６１を第二残量表示６１７という。また、塊部６１４が１個表示されている場合の電池残量表示６１を第三残量表示６１８という。また、電池３１が０個であり、電池外形部６１１のみが表示されている電池残量表示６１を第四残量表示６１９という。
【００４５】
図５に示すように、電池残量テーブル５１には、電池３１の電圧Ｖ１がＶ１＞４．０Ｖの場合には、第一残量表示６１６を表示させるための電池残量情報が対応付けられている。また、電池３１の電圧Ｖ１が３．５Ｖ＜Ｖ１≦４．０Ｖの場合には、第二残量表示６１７を表示させるための電池残量情報が対応付けられている。また、電池３１の電圧Ｖ１が３．１Ｖ＜Ｖ１≦３．５Ｖの場合には、第三残量表示６１８を表示させるための電池残量情報が対応付けられている。また、電池３１の電圧Ｖ１がＶ１≦３．１Ｖの場合には、第四残量表示６１９を表示させるための電池残量情報が対応付けられている。なお、図５には、表示パネル２２に表示される第一残量表示６１６と第二残量表示６１７と第三残量表示６１８と第四残量表示６１９との形状が記載されているが、実際には、第一残量表示６１６と第二残量表示６１７と第三残量表示６１８と第四残量表示６１９とを表示パネル２２に表示させるための電池残量情報が記憶されている。
【００４６】
次に、具体例を示しながら、図７に示すフローチャートを参照して、本実施形態の表示装置１の動作を説明する。
【００４７】
図７に示すように、本実施形態のＣＰＵ２１によるメイン処理では、まず、電圧検出回路３２（図２参照）を介して電池３１の電圧Ｖ１が検出される（Ｓ１１）。次に、Ｓ１１の処理によって検出された電池３１の電圧Ｖ１が３．５Ｖ以下であるか否かが判断される（Ｓ１２）。Ｓ１１の処理で検出された電池３１の電圧Ｖ１が３．５Ｖより大きい場合には（Ｓ１２：ＮＯ）、続いて、画面の書き換え指示が入力されたか否かが判断される（Ｓ１３）。Ｓ１３の処理では、ユーザによって、入力部３４（図２参照）が押下されたか否かが判断される。画面の書き換え指示が入力されていない場合には（Ｓ１３：ＮＯ）、続いて、電源オフ指示が入力されたか否かが判断される（Ｓ１６）。Ｓ１６の処理では、ユーザによって、入力部３４の電源スイッチ３３が押下されたか否かが判断される。電源オフ指示が入力されていない場合には（Ｓ１６：ＮＯ）、続いて、Ｓ１１に戻り処理を繰り返す。つまり、ユーザによって入力部３４、または、電源スイッチ３３が押下されていない場合には、表示装置１は、電池３１の電圧Ｖ１を検出しながら待機している。なお、電源オフ指示が入力された場合には（Ｓ１６：ＹＥＳ）、ＣＰＵ２１によるメイン処理が終了される。
【００４８】
画面の書き換え指示が入力された場合には（Ｓ１３：ＹＥＳ）、続いて、ＲＯＭ２４の電池残量テーブル記憶領域２４２（図２参照）に記憶されている電池残量テーブル５１（図５参照）が読み出され、電池残量表示６１を表示させるための電池残量情報が選択されて決定され、電池残量表示記憶領域２５１（図２参照）に記憶される（Ｓ１４）。Ｓ１４の処理では、電池残量テーブル５１を参照して、Ｓ１１の処理によって検出された電池３１の電圧Ｖ１に対応する電池残量表示６１を表示パネル２２に表示させるための電池残量情報が選択されて決定される。そして、決定された電池残量表示６１を表示させるための電池残量情報が電池残量表示記憶領域２５１に記憶される（Ｓ１４）。次に、表示パネル２２の書き換えが行われると同時に電池残量表示６１が書き換えられる（Ｓ１５）。Ｓ１５の処理では、Ｓ１３の処理でユーザによって押下された入力部３４に応じて、ＣＰＵ２１が表示制御部２３を制御して、表示パネル２２を書き換えると同時に、Ｓ１４の処理によって決定され、電池残量表示記憶領域２５１に記憶された電池残量情報に基づいて、電池残量表示６１を表示パネル２２に表示させる。次に、Ｓ１６に進み処理を繰り返す。
【００４９】
例えば、検出された電池３１の電圧Ｖ１が４．１Ｖであった場合（Ｓ１１）、電池３１の電圧Ｖ１が３．５Ｖ以下ではないと判断される（Ｓ１２：ＮＯ）。そして、画面の書き換え指示が入力されると（Ｓ１３：ＹＥＳ）、電池残量テーブル５１が読み出される（Ｓ１４）。電池残量テーブル５１から電池３１の電圧Ｖ１の４．１Ｖに対応する電池残量表示６１である第一残量表示６１６を表示パネル２２に表示させるための電池残量情報が選択されて決定される（Ｓ１４）。そして、決定された電池残量情報が電池残量表示記憶領域２５１に記憶される（Ｓ１４）。そして、表示パネル２２には、書き換えられた画像とともに、電池残量表示記憶領域２５１に記憶された電池残量情報に基づいて、第一残量表示６１６が表示される（Ｓ１５）。これにより、図８に示すように、表示パネル２２に第一残量表示６１６が表示される。また、例えば、検出された電池３１の電圧Ｖ１が３．８Ｖであった場合には（Ｓ１１）、電池残量テーブル５１から、３．８Ｖに対応する電池残量表示６１である第二残量表示６１７を表示させるための電池残量情報が選択されて（Ｓ１４）、表示パネル２２には、第二残量表示６１７が表示される（Ｓ１５）。なお、画像が書き換えられる場合には、例えば、ユーザによって押下された入力部３４に応じて、メモリカードスロット２６に挿入されたメモリカード３５の表示データ記憶領域３５１に記憶されている表示データ等が選択されて表示パネル２２に表示される。また、図８では、表示パネル２２において、第一残量表示６１６以外の画像の記載は省略している。また、後述する図９においても同様に画像の記載は省略している。また、説明のため、第一残量表示６１６の大きさは、実際よりも大きく表示している。
【００５０】
次に、電池３１が消費され、Ｓ１１の処理によって検出される電池３１の電圧Ｖ１が３．５Ｖ以下になった場合には（Ｓ１２：ＹＥＳ）、続いて、電池３１の温度ｔが検出される（Ｓ１７）。Ｓ１７の処理では、電池３１に内蔵されたサーミスタ３７と温度検出回路３６とを利用して、電池３１の温度ｔが検出される（Ｓ１７）。続いて、書き換え可能回数テーブル記憶領域２４３（図２参照）に記憶されている書き換え可能回数テーブル４１（図４参照）が読み出される（Ｓ１８）。次に、書き換え可能回数が決定され、書き換え可能回数記憶領域２５２（図２参照）に記憶される（Ｓ１９）。Ｓ１９の処理では、Ｓ１８の処理によって読み出された書き換え可能回数テーブル４１を参照して、Ｓ１７の処理によって検出された電池３１の温度ｔと、Ｓ１１の処理によって検出された電池３１の電圧Ｖ１とに対応する書き換え可能回数が選択されて決定される。そして、決定された書き換え可能回数が書き換え可能回数記憶領域２５２に記憶される（Ｓ１９）。次に、電池残量テーブル記憶領域２４２（図２参照）に記憶されている電池残量テーブル５１（図５参照）が読み出され、電池残量表示６１を表示パネル２２に表示させるための電池残量情報が選択されて決定されて、電池残量表示記憶領域２５１（図２参照）に記憶される（Ｓ２０）。Ｓ２０の処理は、前述したＳ１４の処理と同様である。次に、表示パネル２２が書き換えられ、書き換え可能回数と電池残量表示６１とが表示パネル２２に表示される（Ｓ２１）。Ｓ２１の処理では、Ｓ１９の処理によって書き換え可能回数記憶領域２５２に記憶された書き換え可能回数が表示パネル２２に表示される。さらに、Ｓ２０の処理によって電池残量表示記憶領域２５１に記憶された表示残量情報に基づいて、電池残量表示６１が表示パネル２２に表示される（Ｓ２１）。なお、Ｓ２１の処理では、書き換え可能回数と電池残量表示６１以外の画像は、Ｓ２１によって表示パネル２２が書き換えられる前の画像が保持される。また、書き換え可能回数は、電池残量表示６１の隣に表示される。
【００５１】
例えば、電池３１の電圧Ｖ１が３．５Ｖであり、電池３１の温度ｔが２０℃であったとする。この場合、電池３１の電圧Ｖ１である３．５Ｖが検出され（Ｓ１１）、電池３１の電圧Ｖ１が３．５Ｖ以下であると判断される（Ｓ１２：ＹＥＳ）。そして、電池３１の温度ｔである２０℃が検出される（Ｓ１７）。次に、書き換え可能回数テーブル記憶領域２４３（図２参照）に記憶されている書き換え可能回数テーブル４１（図４参照）が読み出される（Ｓ１８）。そして、書き換え可能回数テーブル４１が参照され、電池３１の温度ｔである２０℃と電池３１の電圧Ｖ１である３．５Ｖとに対応する書き換え可能回数である「１８０回」が選択されて決定される（Ｓ１９）。そして、決定された書き換え可能回数である「１８０回」が書き換え可能回数記憶領域２５２に記憶される（Ｓ１９）。次に、電池残量テーブル記憶領域２４２（図２参照）に記憶されている電池残量テーブル５１（図５参照）が読み出される（Ｓ２０）。そして、電池残量テーブル５１から電池３１の電圧Ｖ１である３．５Ｖに対応する電池残量表示６１である第三残量表示６１８を表示パネル２２に表示させるための電池残量情報が選択されて決定されて、電池残量表示記憶領域２５１に記憶される（Ｓ２０）。次に、表示パネル２２が書き換えられ、書き換え可能回数と第三残量表示６１８とが表示パネル２２に表示される（Ｓ２１）。これにより、図９に示すように、表示パネル２２に第三残量表示６１８と書き換え可能回数とが表示される。なお、図９においては、書き換え可能回数が１８０回であることを表現するために、「残１８０Ｐ」と表示している。これにより、残り１８０ページ分書き換え可能であることをユーザに伝えることができる。この書き換え可能回数の表示は、任意に変更可能であり、例えば、「１８０」や「残り１８０回」等のように表示してもよい。また、書き換え可能回数は、第三残量表示６１８の隣かつ第三残量表示６１８の上側に表示されているが、これに限定されず、任意の位置に表示してもよい。
【００５２】
Ｓ２１の処理によって、書き換え可能回数と電池残量表示６１とが表示パネル２２に表示されたら、続いて、時間の計測が開始される（Ｓ２２）。Ｓ２２の処理では、カウンタ３８（図２参照）によって、時間の計測が開始され、ＣＰＵ２１に認識される。カウンタ３８によって計測される時間をカウンタ値という。なお、カウンタ値はカウンタ記憶領域２５３に記憶される。次に、画面の書き換え指示が入力されたか否かが判断される（Ｓ２３）。Ｓ２３の処理は、Ｓ１３の処理と同様である。画面の書き換え指示が入力されていない場合には（Ｓ２３：ＮＯ）、続いて、カウンタ記憶領域２５３に記憶されているカウンタ値が参照され、カウンタ値が３分以上であるか否かが判断される（Ｓ２４）。カウンタ値が３分以上でない場合は（Ｓ２４：ＮＯ）、続いて、電源オフ指示が入力されたか否かが判断される（Ｓ２５）。Ｓ２５の処理では、Ｓ１６の処理と同様に、ユーザによって入力部３４の電源スイッチ３３が押下されたか否かが判断される。電源オフ指示が入力されていない場合には（Ｓ２５：ＮＯ）続いてＳ２３に戻り処理を繰り返す。つまり、画面書き換え指示が入力されず（Ｓ２３：ＮＯ）、カウンタ値が３分以上ではなく（Ｓ２４：ＮＯ）、電源オフ指示が入力されていない場合には（Ｓ２５：ＮＯ）、表示装置１は待機している。電源オフ指示が入力された場合には（Ｓ２５：ＹＥＳ）、表示装置１のＣＰＵ２１による処理が終了される。
【００５３】
画面書き換え指示が入力されず（Ｓ２３：ＮＯ）、カウンタ値が３分以上になると（Ｓ２４：ＹＥＳ）、次に、カウンタ３８による時間の計測が停止され、カウンタ記憶領域２５３に記憶されているカウンタ値がリセットされ、０秒に設定される（Ｓ２６）。次に、Ｓ１６に進み処理が繰り返される。つまり、電池３１の電圧Ｖ１が３．５Ｖ以下であり（Ｓ１２：ＹＥＳ）、画面書き換え指示が入力されず（Ｓ２３：ＮＯ）、電源オフ指示が入力されていない場合（Ｓ２５：ＮＯ）、カウンタ値が３分以上になる毎に（Ｓ２４：ＹＥＳ）、書き換え可能回数と電池残量表示６１とが更新される（Ｓ２１）。
【００５４】
電池３１の電圧Ｖ１が３．５Ｖ以下の場合において（Ｓ１２：ＹＥＳ）、画面書き換え指示が入力されると（Ｓ２３：ＹＥＳ）、続いて、カウンタ記憶領域２５３に記憶されているカウンタ値が参照され、カウンタ値が３秒以上であるか否かが判断される（Ｓ２７）。なお、この「３秒」が本発明の「第一閾値」に相当する。第一閾値は、必ずしも３秒である必要はなく、任意に設定することが可能である。カウンタ値が３秒以上である場合には（Ｓ２７：ＹＥＳ）、続いて、電池３１の電圧Ｖ１が検出される（Ｓ２８）。Ｓ２８の処理は、前述したＳ１１の処理と同様である。次に、電池３１の温度ｔが検出される（Ｓ２９）。Ｓ２９の処理は、前述したＳ１７の処理と同様である。次に、書き換え可能回数テーブル記憶領域２４３（図２参照）に記憶されている書き換え可能回数テーブル４１（図４参照）が読み出される（Ｓ３０）。Ｓ３０の処理は、前述したＳ１８の処理と同様である。次に、書き換え可能回数が決定され、書き換え可能回数記憶領域２５２（図２参照）に記憶される（Ｓ３１）。Ｓ３１の処理では、Ｓ３０の処理によって読み出された書き換え可能回数テーブル４１を参照して、Ｓ２９の処理によって検出された電池３１の温度ｔと、Ｓ２８の処理によって検出された電池３１の電圧Ｖ１とに対応する書き換え可能回数が選択されて決定される。そして、決定された書き換え可能回数が書き換え可能回数記憶領域２５２に記憶される（Ｓ３１）。
【００５５】
次に、電池残量テーブル記憶領域２４２（図２参照）に記憶されている電池残量テーブル５１（図５参照）が読み出され、電池残量表示６１を表示するための電池残量情報が決定され、電池残量表示記憶領域２５１（図２参照）に記憶される（Ｓ３２）。Ｓ３２の処理では、電池残量テーブル５１を参照して、Ｓ２８の処理によって検出された電池３１の電圧Ｖ１に対応する電池残量表示６１を表示パネル２２に表示させるための電池残量情報が決定される。そして、決定された電池残量情報が電池残量表示記憶領域２５１に記憶される（Ｓ３２）。次に、表示パネル２２が書き換えられ、表示パネル２２に表示されている書き換え可能回数と電池残量表示６１とが更新される（Ｓ３３）。Ｓ３３の処理では、Ｓ２３の処理でユーザによって押下された入力部３４に応じて、ＣＰＵ２１が表示パネル２２を制御して、表示パネル２２を書き換える。さらに、Ｓ３１の処理によって書き換え可能回数記憶領域２５２に記憶された書き換え可能回数が表示パネル２２に表示される（Ｓ３３）。さらに、Ｓ３２の処理によって電池残量表示記憶領域２５１に記憶された表示残量情報に基づいて、電池残量表示６１が表示パネル２２に表示される（Ｓ３３）。次に、カウンタ３８による時間の計測が停止され、カウンタ記憶領域２５３に記憶されているカウンタ値がリセットされ、０秒に設定される（Ｓ３４）。次に、Ｓ２２に戻り処理が繰り返される。
【００５６】
例えば、電池３１の電圧Ｖ１が３．４Ｖ、電池３１の温度ｔが２０℃の場合において、Ｓ２２の処理によって時間の計測が開始されてから５秒後に、ユーザによって入力部３４が押下された場合について述べる。この場合、Ｓ２２の処理によって時間の計測が開始されてから、５秒後に画像の書き換え指示が入力される（Ｓ２３：ＹＥＳ）。このため、カウンタ値が５秒なので（Ｓ２７：ＹＥＳ）、電池３１の電圧Ｖ１である３．４Ｖが検出される（Ｓ２８）。次に電池３１の温度ｔである２０℃が検出される（Ｓ２９）。次に、書き換え可能回数テーブル記憶領域２４３（図２参照）に記憶されている書き換え可能回数テーブル４１（図４参照）が読み出される（Ｓ３０）。そして、書き換え可能回数テーブル４１が参照され、電池３１の温度ｔである２０℃と電池３１の電圧Ｖ１である３．４Ｖとに対応する書き換え可能回数である１４５回が選択され、書き換え可能回数記憶領域２５２に記憶される（Ｓ３１）。次に、電池残量テーブル記憶領域２４２（図２参照）に記憶されている電池残量テーブル５１（図５参照）が読み出され、電池残量テーブル５１から電池３１の電圧Ｖ１である３．４Ｖに対応する電池残量表示６１である第三残量表示６１８を表示するための電池残量情報が選択されて決定されて、電池残量表示記憶領域２５１に記憶される（Ｓ３２）。次に、表示パネル２２が書き換えられ、書き換え可能回数と第三残量表示６１８とが更新される（Ｓ３３）。そして、カウンタ３８による時間の計測が停止され、カウンタ記憶領域２５３に記憶されているカウンタ値がリセットされ、０秒に設定される（Ｓ３４）。そして、Ｓ２２に戻り処理が繰り返される。
【００５７】
電池３１の電圧Ｖ１が３．５Ｖ以下の場合において（Ｓ１２：ＹＥＳ）、画面書き換え指示が入力されると（Ｓ２３：ＹＥＳ）、続いて、カウンタ記憶領域２５３に記憶されているカウンタ値が参照され、カウンタ値が３秒以上であるか否かが判断される（Ｓ２７）。カウンタ値が３秒以上でない場合には（Ｓ２７：ＮＯ）、続いて、書き換え可能回数記憶領域２５２に記憶されている書き換え可能回数が１減算されて、書き換え可能回数記憶領域２５２に記憶される（Ｓ３５）。つまり、書き換え可能回数がデクリメントされる。次に、表示パネル２２が書き換えられ、書き換え可能回数と電池残量表示６１とが更新される（Ｓ３６）。Ｓ３６の処理では、Ｓ２３の処理でユーザによって押下された入力部３４に応じて、ＣＰＵ２１が表示パネル２２を制御して、表示パネル２２を書き換える。さらに、Ｓ３５の処理によってデクリメントされて書き換え可能回数記憶領域２５２に記憶された書き換え可能回数が表示パネル２２に表示される（Ｓ３６）。さらに、電池残量表示記憶領域２５１に記憶された電池残量情報に基づいて、電池残量表示６１が表示パネル２２に表示される。書き換え可能回数記憶領域２５２に記憶された書き換え可能回数は、Ｓ３５の処理によって更新されており、電池残量表示記憶領域２５１に記憶されている電池残量情報は更新されていない。このため、表示パネル２２に表示される電池残量表示６１は変化せず、書き換え可能回数はデクリメントされた値が表示される（Ｓ３６）。次に、カウンタ３８による時間の計測が停止され、カウンタ記憶領域２５３に記憶されているカウンタ値がリセットされ、０秒に設定される（Ｓ３７）。次に、Ｓ２２に戻り処理が繰り返される。
【００５８】
例えば、表示パネル２２に表示されている書き換え可能回数が１４５回であり、Ｓ２２の処理によって時間の計測が開始されてから１秒後に、ユーザによって、入力部３４が２秒間隔で３回連続して押下された場合について述べる。この場合、Ｓ２２の処理によって時間の計測が開始されてから、１秒後に画像の書き換え指示が入力される（Ｓ２３：ＹＥＳ）。このため、カウンタ値が１秒なので（Ｓ２７：ＮＯ）、書き換え可能回数記憶領域２５２に記憶された書き換え可能回数がデクリメントされ、１４４回となる（Ｓ３５）。そして、表示パネル２２には、書き換え可能回数が１４４回であることが表示される（Ｓ３６）。そして、カウンタ３８による時間の計測が停止され、カウンタ記憶領域２５３に記憶されているカウンタ値がリセットされ、０秒に設定される（Ｓ３７）。そして、Ｓ２２の処理によって再び時間の計測が開始される。２秒後に、画像の書き換え指示が入力される（Ｓ２３：ＹＥＳ）。このため、カウンタ値が２秒なので（Ｓ２７：ＮＯ）、書き換え可能回数がデクリメントされて１４３回となり（Ｓ３５）、表示パネル２２には書き換え可能回数が１４３回であることが表示される（Ｓ３６）。そして、カウンタ３８による時間の計測が停止され、カウンタ値がリセットされる（Ｓ３７）。そして、Ｓ２２の処理によって再び時間の計測が開始される。さらに２秒後に、画像の書き換え指示が入力される（Ｓ２３：ＹＥＳ）。このため、カウンタ値が２秒なので（Ｓ２７：ＮＯ）、書き換え可能回数がデクリメントされて１４２回となり（Ｓ３５）、表示パネル２２には、書き換え可能回数が１４２回であることが表示される（Ｓ３６）。そして、カウンタ３８による時間の計測が停止され、カウンタ値がリセットされる（Ｓ３７）。
【００５９】
このように、第一閾値（本実施形態の場合は３秒。）より小さい間隔で、書き換え指示が入力された場合、つまり連続して書き換え指示が入力された場合には、電池３１の電圧Ｖ１と電池３１の温度ｔとを計測しない。このため、電池３１の電圧Ｖ１と電池３１の温度ｔとを計測するための電池３１の残存容量の消費を抑制することができる。
【００６０】
なお、電源スイッチ３３が押下された場合には（Ｓ２５：ＮＯ、又は、Ｓ１６：ＮＯ）、ＣＰＵ２１によるメイン処理が終了される。
【００６１】
以上説明したように、第一実施形態での処理が行われる。本実施形態では、電池３１の電圧Ｖ１が３．５Ｖ以下の場合に、書き換え可能回数を表示パネル２２に表示し、電池３１の電圧Ｖ１が３．５Ｖより大きい場合には、書き換え可能回数を表示パネル２２に表示しない。ここで、図３に示したように、電池３１の電圧Ｖ１が３．５Ｖより大きい場合には、電池３１の残存容量が十分に残っている。また、電池３１の電圧Ｖ１が３．５Ｖ以下である場合には、電池３１の残存容量が少ない。前述したように、電池３１の残存容量が十分に残っている場合では、電池３１の残存容量が少ない場合に比べ、電池３１の残存容量が消費された場合における電池３１の電圧Ｖ１の変化量が小さい。このため、表示パネル２２に表示される画像を書き換えることが可能な残りの回数である書き換え可能回数を電池３１の電圧Ｖ１に基づいて決定する際、電池３１の残存容量が十分に残っている場合では、電池３１の残存容量が少ない場合に比べ、書き換え可能回数を精度良く決定することが困難である。このため、電池３１の残存容量が十分に残っている場合では、表示パネル２２に表示される書き換え可能回数が変動することが多い。このため、ユーザが混乱する場合がある。本実施形態では、書き換え可能回数が変動することが多い、電池３１の残存容量が十分に残っている場合には、書き換え可能回数を表示パネル２２に表示しない。そして、書き換え可能回数が変動することが少ない、電池３１の残存容量が少ない場合には、書き換え可能回数を表示パネル２２に表示する。つまり、書き換え可能回数を精度良く決定することができる場合にのみ、書き換え可能回数を表示パネル２２に表示させる。これによって、ユーザが混乱することを防止することができる。なお、本実施形態では、電池３１の電圧Ｖ１が３．５Ｖ以下の場合を、電池３１の残存容量が少ない場合としているが、この「３．５Ｖ」は例であり、任意に設定することができる。この任意に設定できる電池３１の電圧の閾値が本発明の「所定残量」に相当する。なお、所定残量は電池３１の電圧で表現されることに限定されるものではなく、例えば、電池３１の残存容量を所定残量としてもよい。
【００６２】
また、本実施形態では、電池３１の残存容量が十分に残っている場合には、書き換え可能回数を表示パネル２２に表示しない。このため、ＣＰＵ２１が画像の書き換え可能回数を決定する処理を行う必要がない。よって、電池３１の残存容量の消費を抑制することができる。
【００６３】
また、電池３１の残存容量は、電池３１の温度ｔによって変動するが、本発明では、電池３１の温度ｔも考慮して、書き換え可能回数を決定しているため、電池３１の温度ｔを考慮しない場合に比べて高精度に書き換え可能回数を決定することができる。
【００６４】
また、電池３１の残存容量に関係なく電池残量表示６１が表示パネル表示されているので、電池の残存容量が十分に残っている場合でも、ユーザは電池の残存容量を確認することができる。
【００６５】
また、電池残量表示６１には、電池外形部６１１が表示されているため、ユーザは容易に電池３１の残存容量を表した表示であることを認識することができる。このため、ユーザは容易に電池３１の残存容量を確認することができる。
【００６６】
なお、本発明の表示装置１は、上記実施形態に限定されるものではなく、本発明の要旨を逸脱しない範囲内において種々変更を加え得ることは勿論である。
【００６７】
例えば、図５の電池残量テーブル５１は、電池３１の電圧Ｖ１と、電池３１の残量を表す情報である電池残量情報とが対応付けられて記憶されていたが、これに限定されない。例えば、電池３１の温度ｔと、電池３１の電圧Ｖ１と、電池残量情報とを対応つけてもよい。このようにすれば、電池３１の温度ｔも考慮して、電池残量情報を決定することができる。このため、さらに高精度に、電池残量表示６１を表示することができる。
【００６８】
また、電池３１の温度ｔを計測していたが、温度ｔを計測しなくてもよい。この場合は、図４の書き換え可能回数テーブル４１を、電池３１の電圧Ｖ１と、書き換え可能回数とが対応付けされるように作成すればよい。これによって、電池３１の電圧Ｖ１のみから、書き換え可能回数を決定することができる。
【００６９】
また、電池３１の温度ｔを計測するために、サーミスタ３７を使用していたが、これに限定されない。例えば、熱電対やその他の温度センサを使用してもよい。
【００７０】
また、電池３１の残存容量を電池残量表示６１で表していたが、これに限定されない。例えば、電池３１の残存容量を、数字で表しても良い。また、塊部６１４は縦長長方形状をしていたが、これに限定されず、例えば、星の形状や、円形状等であってもよい。また、塊部６１４の数が３個であったが、これに限定されず、例えば４個でもよい。
【００７１】
また、書き換え可能回数を表示パネル２２に表示させる場合、図１０に示すように、電池残量表示６１のメータ部６１５（図６参照）に代えて、図６におけるメータ部６１５と同じ位置に、書き換え可能回数を表示させるようにしてもよい。これによって、ユーザに、残りの書き換え可能回数を伝えることができる。さらに、この場合、メータ部６１５を表示する必要がないため、図７のフローチャートにおけるＳ２０の処理とＳ３２の処理とを省略することができる。これにより、電池３１の残存容量の消費を抑制することができる。また、電池残量表示６１と書き換え可能回数とを別々の位置に表示する場合（図８参照）に比べて、表示パネル２２での表示領域を削減することができる。
【００７２】
また、電池残量表示６１を、表示していたが、表示しなくてもよい。この場合は、電池の残存容量が少なくなった場合に、書き換え可能回数が表示される。また、電池残量表示６１が表示されずに、書き換え可能回数が表示される場合にも、図１０に示すように、電池外形部６１１を表示パネルに表示させ、電池外形部６１１の内側に書き換え可能回数を表示させてもよい。この場合、電池外形部６１１が表示されているため、ユーザは電池３１の残存容量が少なく、書き換え可能回数が少ないことを容易に判断することができる。このため、ユーザは、容易に電池３１の残存容量が少ないことと書き換え可能回数とを確認することができる。
【００７３】
また、電池３１の電圧Ｖ１を計測することで、電池３１の書き換え回数を決定していたが、これに限定されない。例えば、電池３１の残存容量を検出し、書き換え可能回数を決定してもよい。
【００７４】
また、書き換え可能回数テーブル４１を予め記憶しておき、書き換え可能回数テーブル４１を用いて書き換え可能回数を決定したが、これに限定されない。例えば、表示パネル２２を一回書き換えるために消費される電池３１の容量である一回消費容量と、図３に示す曲線３１１及び曲線３１２に対応するデータとを予め記憶しておき、電池３１の電圧Ｖ１と電池３１の温度ｔから、図３に示す曲線３１１又は曲線３１２に対応するデータから残存容量を算出する。そして、算出された残存容量を、一回消費容量で除算することで、書き換え可能回数を算出して決定してもよい。
【００７５】
また、電池残量検出方法として、クーロンカウンタなどのバッテリから放出される電流（電荷）などを検出してもよく、電圧検出に限定するものではない。
【００７６】
また、電池３１の電圧が３．５Ｖ以下のときに、書き換え可能回数を表示し、３．５Ｖより大きい電圧が検出されれば、書き換え可能回数がされなかったがこれに限定されない。例えば、３．５Ｖ以下の電圧が検出され、書き換え可能回数が表示された後は、「３．７Ｖ」より大きい電圧が検出されるまで、書き換え可能回数を表示してもよい。また、３．５Ｖ以下の電圧が検出され、書き換え可能回数が表示された後は、３．５Ｖ以上の電圧が検出されても書き換え可能回数を表示したままでもよい。これによって、電池３１の電圧が３．５Ｖ近傍の場合に、一度表示された書き換え可能回数が消えることを防止することができる。なお、「３．５Ｖ」や「３．７Ｖ」等の値は例示であり、任意に設定してもよい。
【００７７】
なお、上記実施形態において、表示パネル２２が本発明の「表示手段」に相当し、図７のＳ１５とＳ２１とＳ３３とＳ３６との処理を行うＣＰＵ２１が本発明の「表示制御手段」に相当する。また、入力部３４が本発明の「入力手段」に相当し、図７のＳ１１とＳ２８との処理を行うＣＰＵ２１が本発明の「残量検出手段」に相当する。また、図７のＳ１９とＳ３１との処理を行うＣＰＵ２１が本発明の「書き換え回数決定手段」に相当する。また、図７のＳ２７の処理を行うＣＰＵ２１が本発明の「第一判断手段」に相当し、図７のＳ３５の処理を行うＣＰＵ２１が本発明の「第一算出手段」に相当する。また、図７のＳ１７とＳ２９の処理を行うＣＰＵ２１が本発明の「温度検出手段」に相当し、図７のＳ１４とＳ２０とＳ３２の処理を行うＣＰＵ２１が本発明の「電池残量決定手段」に相当する。また、サーミスタ３７が本発明の「温度検出部」に相当し、電池３１の温度ｔの変化に応じて変化するサーミスタ３７の抵抗値が本発明の「特性」に相当する。
【００７８】
また、図７のＳ１５とＳ２１とＳ３３とＳ３６との処理が本発明の「表示制御ステップ」に相当し、図７のＳ１１とＳ２８との処理が本発明の「残量検出ステップ」に相当する。また、図７のＳ１９とＳ３１との処理が本発明の「書き換え回数決定ステップ」に相当する。
【符号の説明】
【００７９】
１    表示装置
１３    設定ボタン
１４    操作ボタン
１５    選択ボタン
２１    ＣＰＵ
２２    表示パネル
２３    表示制御部
３１    電池
３２    電圧検出回路
３３    電源スイッチ
３４    入力部
３６    温度検出回路
３７    サーミスタ
３８    カウンタ
４１    書き換え可能回数テーブル
５１    電池残量テーブル
６１    電池残量表示
６１１    電池外形部
６１４    塊部
６１５    メータ部
６１６    第一残量表示
６１７    第二残量表示
６１８    第三残量表示
６１９    第四残量表示
ｔ    温度
Ｖ１    電圧
【図１】
2011048473.tif 000003
【図２】
2011048473.tif 000004
【図３】
2011048473.tif 000005
【図４】
2011048473.tif 000006
【図５】
2011048473.tif 000007
【図６】
2011048473.tif 000008
【図７】
2011048473.tif 000009
【図８】
2011048473.tif 000010
【図９】
2011048473.tif 000011
【図１０】
2011048473.tif 000012